(57)【要約】【課題】  クレヨンタイプのチョークを用いた時に、書き味が滑らかで描画性を向上させると共に、チョーク粉が飛散せず、且つ簡単に消去できる筆記シートを提供する。【解決手段】  ベース部材１２の表面にコーティングにより着色層１３を形成し、該着色層１３の表面に接着層１４を介して表面材１５をラミネートし、該表面材１５は、所定粗度のエンボス加工が施されている筆記シート１１である。また、ベース部材１２の裏面に接着剤層２２を設けた筆記シート２１を形成してもよい。この場合は、接着剤層２２を介して筆記シート２１を木製又は金属製等の基板に接着させて、筆記板を形成することができる。【選択図】      図１
2006181951.tif 000002
【特許請求の範囲】
【請求項１】
表面にエンボス加工が施された所要粗度を有する表面材を備えていることを特徴とする乾式又は湿式筆記具用の筆記シート。
【請求項２】
前記表面材は、所要厚さのベース部材に接着層を介して取り付けられることを特徴とする請求項１に記載の乾式又は湿式筆記具用の筆記シート。
【請求項３】
前記ベース部材は所要の色に着色されたものを用いるか、又はその表面にコーティングにより所要の色の着色層を形成することを特徴とする請求項２に記載の乾式又は湿式筆記具用の筆記シート。
【請求項４】
前記ベース部材の裏面に接着剤層を設けておき、該接着剤層を介して、ハードな基板に取り付けることができるようにしたことを特徴とする請求項２に記載の乾式又は湿式筆記具用の筆記シート。
【発明の詳細な説明】
【技術分野】
【０００１】
本発明は、乾式又は湿式筆記具用の筆記シートに関し、特に、チョークによる書き味が滑らかで描画性が良好であり、描画時又は消去時にチョーク粉が飛散しない筆記シートに関するものであり、更には、黒板又は白板等の表面材としても用いることができる筆記シートに関するものである。
【背景技術】
【０００２】
従来、書き味が滑らかで粉が飛散しないチョークとしては、所定量のワックスと、パラフィンと、顔料等を配合してなる白墨組成物及びその製法を本願出願人が特許出願しており、すでに特許を取得している（特許文献１参照）。また、その製法によって得られた、クレヨンタイプのチョークが一般に市販されている。
【０００３】
一方、木製又は金属製の板材に黒板用の塗料を塗布した後、焼き付けて作製した黒板が知られている（特許文献２、３参照）。
【特許文献１】特公平１−４９７５２号公報（特許第１５６５１１２号）。
【特許文献２】特公昭５５−３３９９７号公報
【特許文献３】特公昭５１−１８２５１号公報
【発明の開示】
【発明が解決しようとする課題】
【０００４】
上記のクレヨンタイプのチョークを用いて、従来の黒板等に描画したときには、書き味が比較的滑らかであり、チョーク粉の飛散が少ないという特徴がある。しかしながら、本願出願人は、従来の黒板等に描画したときよりもさらに滑らかな書き味を有し、描画性がいっそう良好になり、且つ描画時又は消去時にチーク粉が飛散せず、簡単に消去することのできる、筆記シートを追求してその研究開発を鋭意重ねた。
【０００５】
即ち、上記のクレヨンタイプのチョークを用いた描画時に、書き味がさらに滑らかであり、描画性をいっそう向上させると共に、チョーク粉が飛散せず、且つ簡単に消去できる筆記シートが開発が必要であるという解決課題を有している。
【課題を解決するための手段】
【０００６】
前記従来例の課題を解決する具体的手段として本発明は、表面にエンボス加工が施された所要粗度を有する表面材を備えていることを特徴とする乾式又は湿式筆記具用の筆記シートを提供するものである。
【０００７】
また、前記表面材は、所要厚さのベース部材に接着層を介して取り付けられる構成としたものであり、そして、前記ベース部材は所要の色に着色されたものを用いるか、又はその表面にコーティングにより所要の色の着色層を形成する構成としたものであり、更に、前記ベース部材の裏面に接着剤層を設けておき、該接着剤層を介して、ハードな基板に取り付けることができるようにした構成としたものである。
【発明の効果】
【０００８】
本発明に係る筆記シートは、表面にエンボス加工が施された所要粗度を有する表面材を備えていることによって、前述のクレヨンタイプのチョークを用いた描画時に、筆圧が低くても明瞭な字、線を描けることとなる。即ち、エンボス加工の凹凸にチョーク粉が乗りやすくなるために、軽く書いても筆記が可能であり、滑らかな書き味で描画性が良好である。また、チョーク粉の付着量が少ないので飛散せず、同様に、乾布で簡単に消去することのできるという種々の優れた効果を奏する。
【０００９】
そして、ベース部材の裏面に接着剤層を設けておき、該接着剤層を介して、ハードな基板に取り付けることができるようにしたことによって、木製又は金属製等の板状の基板に筆記シートを接着させて、黒板又は白板等の筆記板を形成することができるという優れた効果を奏する。
【発明を実施するための最良の形態】
【００１０】
次に、本発明の実施の形態について図面を参照しながら説明する。まず、図１は、筆記シート１１を拡大して略示的に示した断面図である。この筆記シート１１は、ベース部材１２と、このベース部材１２の表面にコーティングにより形成した着色層１３と、この着色層１３の表面に接着層１４を介してラミネートした表面材１５とから構成される。
【００１１】
ベース部材１２は、一例を上げれば、ポリプロピレンシートで形成されており、厚さが３８０〜１２００μｍ程度である。
【００１２】
着色層１３は、例えば、黒、白、又はグリーン等の適宜の色のインクをベース部材１２の表面にコーティングすることによって形成される。
【００１３】
接着層１４は、一例を上げれば、アクリル系の接着剤で形成されており、着色層１３の表面と表面材１５とを加熱等の手段によりラミネートしている。
【００１４】
表面材１５は、一例を上げれば、ポリエステルシートで形成されており、厚さが５０μｍ程度である。
【００１５】
また、表面材１５は、所定粗度のエンボス加工又は梨地加工が施されており、その表面に凹凸１５ａが形成されている。
【００１６】
このような構成の筆記シート１１は、前述のクレヨンタイプのチョークを用いたときに、エンボス加工の凹凸１５ａにチョーク粉が乗りやすくなるため、筆圧が低くても明瞭な字、線を描けるのである。つまり、軽く書いても筆記が可能であり、滑らかな書き味で描画性が良好である。また、チョーク粉の付着量が少ないので飛散しないし、乾布で簡単に消去することのできることとなる。
また、所要大きさの筆記シート１１を、マグネットや両面テープを用いてドアや壁面等に貼着させて使用することができる。
更に、表面にエンボス加工が施された表面材１５を接着層１４を介して直接ドアや壁面等に貼着させて使用することもできる。
そして、筆記シート１１は、前述のクレヨンタイプのチョークの使用を前提とするが、乾式又は湿式の筆記用具を用いても、書き味が滑らかで描画性が良好である。乾式の筆記用具としてはチョーク、クレヨン等であり、また、湿式の筆記用具としては白板用のマーカー等が上げられる。
【００１７】
次に、図２に第２実施例に係る筆記シート２１を示す。この第２実施例において、前記第１実施例の筆記シート１１と同一部分には同一符号を付してその詳細は省略する。
【００１８】
この筆記シート２１は、ベース部材１２の裏面に接着剤層２２が形成されている。この接着剤層２２は、一例を上げれば、アクリル系の接着剤で形成される。また、接着剤層２２の表面には、剥離紙２３が剥がし取り自在に貼着されている。
【００１９】
このような構成の筆記シート２１は、剥離紙２３を剥がして接着剤層２２を露出させてから、木製又は金属製等の板状の基板に筆記シート２１を接着させることにより、黒板又は白板等の筆記板（図示せず）を形成することができる。
【００２０】
次に、図３に第３実施例に係る筆記シート３１を示す。この第３実施例において、前記第１実施例の筆記シート１１と同一部分には同一符号を付してその詳細は省略する。
【００２１】
この筆記シート３１は、ベース部材１２又はその表面に適宜の着色が施されており、ベース部材１２に接着層１４を介して表面材１５が取り付けられる。この場合は着色層１３を形成する必要がない。
【図面の簡単な説明】
【００２２】
【図１】本発明の第１実施例に係る筆記シート１１を拡大して略示的に示した断面図である。
【図２】本発明の第２実施例に係る筆記シート２１を拡大して略示的に示した断面図である。
【図３】本発明の第３実施例に係る筆記シート３１を拡大して略示的に示した断面図である。
【符号の説明】
【００２３】
１１  筆記シート
１２  ベース部材
１３  着色層
１４  接着層
１５  表面材
１５ａ凹凸
２１  筆記シート
２２  接着剤層
２３  剥離紙
３１  筆記シート
【図１】
2006181951.tif 000003
【図２】
2006181951.tif 000004
【図３】
2006181951.tif 000005